(57)【要約】【課題】空調装置の冷房能力を低下させることなく、省動力化ができ、車室内を快適に維持することができる機能を備えた車両用空調装置を提供すること。【解決手段】空調装置１は、第１駆動源（エンジン２）で駆動される第１圧縮機（エンジン駆動圧縮機６）と、第２駆動源（モータ３）で駆動される第２圧縮機（モータ駆動圧縮機７）とを備えている。空調装置１は、第１圧縮機（エンジン駆動圧縮機６）を停止する前に、第２圧縮機（モータ駆動圧縮機７）の出力を予め上昇させる。【選択図】      図１
2004345467.tif 000002
【特許請求の範囲】
【請求項１】
第１駆動源で駆動される第１圧縮機と、第２駆動源で駆動される第２圧縮機とを備えた空調装置であって、
前記空調装置は、前記第１圧縮機を停止する前に、前記第２圧縮機の出力を予め上昇させることを特徴とする車両用空調装置。
【請求項２】
前記空調装置は、前記第１圧縮機を停止させる際に、前記第２圧縮機の出力が所定値以上になる場合、前記第１圧縮機を作動させることを特徴とする請求項１に記載の車両用空調装置。
【請求項３】
前記空調装置は、前記第１圧縮機を停止させる際に、前記第２圧縮機の出力が所定値以上である場合、前記第１圧縮機を所定時間後に停止させることを特徴とする請求項１に記載の車両用空調装置。
【請求項４】
第１駆動源で駆動される第１圧縮機と、第２駆動源で駆動される第２圧縮機とを備えた空調装置であって、
前記空調装置は、前記第２圧縮機が作動中に、この第２圧縮機の負荷が所定値以上になったときに、前記第１圧縮機を作動させることを特徴とする車両用空調装置。
【発明の詳細な説明】
【０００１】
【発明の属する技術分野】
本発明は、エンジン等でなる第１駆動源で駆動される第１圧縮機と、モータ等でなる第２駆動源で駆動される第２圧縮機とを備えた車両用空調装置に関する。
【０００２】
【従来の技術】
従来、車両用空調装置は、車両の走行用エンジンを動力源とするエンジン駆動圧縮機や、電気自動車等に搭載されている電動圧縮機や、アイドリングストップ時に使用されるモータ駆動圧縮機を使用したものが知られている。
近年、エンジンの低燃費化が急速に進んでおり、それに伴ないアイドリングストップ機能を備えた車両が増加傾向にある。アイドリングストップ車両では、空調装置の使用中に車両を停止させると、エンジンのアイドリングストップが行われて、エンジンの停止に伴なって圧縮機が作動できなくなる。その結果、外気温度が高い場合や、陽射しが強い場合には、車室内の温度が上昇して乗員が不快に感じることがある。また、外気温度が低い場合には、除湿能力が不足して乗員が呼吸する息によって湿度が上昇し、窓ガラスが曇るという不都合が発生する。
【０００３】
そこで、車室内の温度に応じて一時的にエンジンを駆動させることによって圧縮機を作動させて、車室内の温度を適温に調整した後に再びアイドリングストップをさせる空調装置が提案されている（例えば、特許文献１）。
また、所謂マイルドハイブリッド車両では、エンジンの回転速度がゼロになってから、電動モータで圧縮機を駆動させる空調装置が使用されている。
【０００４】
【特許文献１】
特開２０００−１７９３７４号公報（第４〜５頁、図３および図５）
【０００５】
【発明が解決しようとする課題】
しかしながら、これらの従来の空調装置では、圧縮機が起動しても直ぐに空調装置が所要の能力を発揮しない。その結果、空調装置が所要の能力を発揮するまでの間は、送風機のみによって空調を行うことになる。したがって、この間には、温度や湿度が上昇するため、車室内の不快感が解消されないという問題点があった。
【０００６】
本発明の課題は、空調装置の冷房能力を低下させることなく、省動力化ができ、車室内を快適に維持することができる機能を備えた車両用空調装置を提供することにある。
【０００７】
【課題を解決するための手段】
前記課題を解決するために、請求項１に記載の車両用空調装置は、第１駆動源で駆動される第１圧縮機と、第２駆動源で駆動される第２圧縮機とを備えた空調装置であって、前記空調装置は、前記第１圧縮機を停止する前に、前記第２圧縮機の出力を予め上昇させることを特徴とする。
【０００８】
請求項１に記載の発明によれば、車両用空調装置は、例えば、第１駆動源（エンジン）によって駆動される第１圧縮機（エンジン駆動圧縮機）を停止する前に、第２駆動源（モータ）によって駆動される第２圧縮機（モータ駆動圧縮機）の出力を予め上昇させることによって、車室内を冷却させるための冷房能力を高めておくことができる。このため、第１駆動源（エンジン）をアイドリングストップして第１圧縮機（エンジン駆動圧縮機）が停止された場合であっても、吐出される空調装置の冷気の温度を維持させて、車室内を快適な温度に保つことができる。
また、車両用空調装置は、例えば、アイドリングストップ機能を備えた車両において、第１圧縮機（エンジン駆動圧縮機）が停止する前に、第２圧縮機（モータ駆動圧縮機）の出力を予め上昇させることにより、アイドリングストップ中に第２圧縮機（モータ駆動圧縮機）のみによる作動で空調装置の冷房能力が低下して、車室内の気温が上昇することを防止できる。これにより、車室内が、快適な温度に維持される。
【０００９】
請求項２に記載の車両用空調装置は、請求項１に記載の車両用空調装置であって、前記空調装置は、前記第１圧縮機を停止させる際に、前記第２圧縮機の出力が所定値以上になる場合、前記第１圧縮機を作動させることを特徴とする。
【００１０】
請求項２に記載の発明によれば、車両用空調装置は、例えば、第１圧縮機（エンジン駆動圧縮機）を停止させる前に、第２圧縮機（モータ駆動圧縮機）の出力が所定値以上になる場合、第１圧縮機（エンジン駆動圧縮機）を作動させて第２圧縮機（モータ駆動圧縮機）の出力を補助し、２つの圧縮機で空調装置を作動させることができる。このため、第１圧縮機（エンジン駆動圧縮機）は、停止する前に、第２圧縮機（モータ駆動圧縮機）を補助して冷房能力の余力を与えてから停止するので、第１圧縮機（エンジン駆動圧縮機）が停止したときに第２圧縮機（モータ駆動圧縮機）の出力の低下によって、車室内の温度が上昇して暑くなることを防止できる。また、冷え過ぎも防止できる。これにより、車室内が、快適な温度に維持される。
【００１１】
請求項３に記載の車両用空調装置は、請求項１に記載の車両用空調装置であって、前記空調装置は、前記第１圧縮機を停止させる際に、前記第２圧縮機の出力が所定値以上である場合、前記第１圧縮機を所定時間後に停止させることを特徴とする。
【００１２】
請求項３に記載の発明によれば、車両用空調装置は、第１圧縮機（エンジン駆動圧縮機）を停止させる際に、第２圧縮機（モータ駆動圧縮機）の出力が所定値以上である場合、第１圧縮機（エンジン駆動圧縮機）を所定時間作動させて所定時間後に停止させることにより、その間第２圧縮機（モータ駆動圧縮機）の出力を補助することができる。このため、第１圧縮機（エンジン駆動圧縮機）は、停止する前に、第２圧縮機（モータ駆動圧縮機）を所定時間補助して冷房能力の余力を与えてから停止するので、第２圧縮機（モータ駆動圧縮機）の出力の低下によって、車室内の温度が上昇して暑くなることを防止できる。これにより、車室内が、快適な温度に維持される。
【００１３】
請求項４に記載の車両用空調装置は、第１駆動源で駆動される第１圧縮機と、第２駆動源で駆動される第２圧縮機とを備えた空調装置であって、前記空調装置は、前記第２圧縮機が作動中に、この第２圧縮機の負荷が所定値以上になったときに、前記第１圧縮機を作動させることを特徴とする。
【００１４】
請求項４に記載の発明によれば、車両用空調装置は、モータ駆動圧縮機（第２圧縮機）が作動中に、この第２圧縮機（モータ駆動圧縮機）の負荷が所定値以上になったときに、第１圧縮機（エンジン駆動圧縮機）を作動させることにより、第１圧縮機（エンジン駆動圧縮機）が第２圧縮機（モータ駆動圧縮機）の出力を補助することができる。このため、車室内の温度が上昇することを防止して、車室内を快適な温度に維持することができる。
【００１５】
【発明の実施の形態】
以下、添付図面を参照して、本発明に係る車両用空調装置の実施の形態を詳細に説明する。
図１は、本発明の実施の形態に係る車両用空調装置を示す概略図である。
図１に示すように、車両の空気調和装置（以下、単に「空調装置」という）１は、車両の駆動源であるエンジン２と、モータ駆動圧縮機７用のモータ３とを駆動源として作動するものである。
空調装置１は、例えば、アイドリングストップ機能を備えた車両に搭載される装置として最適なものであるが、アイドリングストップ機能を備えた車両に搭載しても、アイドリングストップ機能を備えていない車両に搭載してもどちらでもよい。
以下、アイドリングストップ機能を搭載した車両における空調装置１を例にして本発明の実施の形態を説明する。
【００１６】
図１に示すように、空調装置１は、エンジン２、およびモータ・ジェネレータＧと、モータ駆動圧縮機７用のモータ３と、空調装置１の冷凍サイクル装置Ａを作動させるためのエンジン駆動圧縮機６およびモータ駆動圧縮機７からなるハイブリッド型コンプレッサ５と、凝縮器９と、受液器１０と、膨張弁１１と、蒸発器空気温度センサ１２ｂを備えた蒸発器１２と、制御装置４とから構成されている。
なお、エンジン２は、特許請求の範囲の「第１駆動源」に相当し、モータ３は「第２駆動源」に相当し、エンジン駆動圧縮機６は「第１圧縮機」に相当し、モータ駆動圧縮機７は「第２圧縮機」にそれぞれ相当する。
【００１７】
次に、図１を参照して各機器を説明する。
図１に示すように、エンジン２は、例えば、ガソリン等を燃料とする車両走行用の内燃機関であり、車輪Ｗを回転させるための役割と、モータ・ジェネレータＧを回転させて蓄電装置１７に電気エネルギを蓄積させるための役割と、エンジン駆動圧縮機６を駆動させるための役割を備えている。エンジン２とモータ・ジェネレータＧとは、回転軸２１で直結されることによって、ハイブリッド型を構成している。エンジン２の他端側には、エンジン駆動圧縮機６を連動させるための伝達装置８が設置されている。エンジン２の回転は、変速機Ｔを介して車輪Ｗに伝達される。
【００１８】
その伝達装置８は、エンジン２に設置されたプーリ８２と、エンジン駆動圧縮機６に設置されたプーリ８５とにベルト８３を巻き掛けてなるベルト伝達機構からなる。伝達装置８は、例えば、エンジン２の他端側に配置されてこのエンジン２によって回転する回転軸８１と、この回転軸８１の先端に設置されたプーリ８２と、エンジン駆動圧縮機６を駆動させるためのプーリ８５と、プーリ８２とプーリ８５とを連動させるためのベルト８３と、エンジン駆動圧縮機６に設置された駆動軸８４と、この駆動軸８４に設置された電磁クラッチ８６とから構成されている。
【００１９】
モータ・ジェネレータＧは、エンジン２を始動させるためのスタータモータの役割と、エンジン２の回転によって発電する機能とを備えている。そのモータ・ジェネレータＧは、バッテリ１８を充電し、各電気機器に電力を供給する蓄電装置１７に電気的に接続されている。
【００２０】
モータ３は、制御装置４、エアコンスイッチ１５およびイグニッションスイッチ１９を介してバッテリ１８に電気的に接続されて、このバッテリ１８によって回転して、モータ駆動圧縮機７を駆動するための動力源である。そのモータ３の回転は、中間部に電磁クラッチ３２を介在した回転軸３１によってモータ駆動圧縮機７に断続的に伝達できるように構成されている。
【００２１】
冷凍サイクル装置Ａは、空調装置１における冷凍サイクルを形成するものである。その冷凍サイクル装置Ａは、ハイブリッド型コンプレッサ５と、凝縮器９と、受液器１０と、膨張弁１１と、蒸発器１２とを主要部として構成され、ハイブリッド型コンプレッサ５を上流側、蒸発器１２を下流側として、これらを順次、接続して構成されている。冷凍サイクルは、蒸発、圧縮、凝縮、膨張からなる冷媒のサイクルであり、蒸発は蒸発器１２で行われ、圧縮はハイブリッド型コンプレッサ５で行われ、凝縮は凝縮器９で行われ、膨張は膨張弁１１で行われる。
【００２２】
ハイブリッド型コンプレッサ５は、フロン（ＨＦＣ１３４ａ）または二酸化炭素（ＣＯ２）等からなる冷媒を圧縮する機器である。ハイブリッド型コンプレッサ５は、圧縮機の省動力のために、エンジン２によって駆動されるエンジン駆動方式のエンジン駆動圧縮機６と、モータ３によって駆動される電動式のモータ駆動圧縮機７との２つの圧縮機から構成されている。ハイブリッド型コンプレッサ５は、この２種類の圧縮機によって構成されていることにより、省動力と車室内の環境の快適性とを適宜に図るように作動する。このハイブリッド型コンプレッサ５で圧縮された冷媒は、配管を介して凝縮器９に圧送される。
なお、ハイブリッド型コンプレッサ５は、エンジン駆動圧縮機６とモータ駆動圧縮機７とを一体にしたものでも、別体にしたものでもどちらであってもよい。
【００２３】
エンジン駆動圧縮機６は、例えば、エンジン２の回転軸８１の回転を伝達装置８によって伝達されることで駆動する比較的容量の小さい圧縮機からなる。エンジン駆動圧縮機６に設置された駆動軸８４の中間部位には、電磁クラッチ８６が設置されて、エンジン２の回転が断続的に伝達されるように構成されている。
【００２４】
モータ駆動圧縮機７は、電磁クラッチ３２を介して回転軸３１によってモータ３に接続され、エンジン駆動圧縮機６の補助のためのモータ３によって回転する電動式圧縮機である。モータ駆動圧縮機７は、エンジン２によって駆動されるエンジン駆動圧縮機６と一緒に作動するか、エンジン２をアイドリングストップさせているときに作動するか、若しくはそのエンジン駆動圧縮機６の単独作動に係わらず、作動する。このモータ駆動圧縮機７は、温度設定部１６で設定された設定温度と温度、湿度、日射等の環境要素とに基づいて目標温度算出部４１ｂで算出された目標温度と、蒸発器空気温度センサ１２ｂで検出した空気の検出温度との差によって、モータ駆動制御部４１ａで制御されて駆動する。
このように、モータ駆動圧縮機７は、蒸発器１２によって冷却された空気が流れるその蒸発器１２の下流側（以下、単に「蒸発器１２の出側」という）の空気温度と目標温度によって、その回転が制御されるが、エンジン２の作動時には、その目標温度が２〜３℃程度高く持ち替えられる。
【００２５】
凝縮器９は、ハイブリッド型コンプレッサ５で高圧高温になった冷媒を冷却して、熱交換によって液化する機器である。この凝縮器９は、配管によって、受液器１０に接続されている。
【００２６】
受液器１０は、凝縮器９によって液化された冷媒を一時貯えるボンベに相当する機器である。受液器１０は、ドライヤ（図示せず）等を介して膨張弁１１に接続され、そのドライヤ（図示せず）で冷媒中の水分が除去して膨張弁１１に冷媒を供給する。
【００２７】
膨張弁１１は、蒸発器１２の出入り口に取り付けられ、高温高圧の液化冷媒がここを通過すると液体から霧状の気体に変化して噴射する機器である。この膨張弁１１は、配管によって蒸発器１２に接続されて、電気的に制御装置４に接続されている。膨張弁１１には、絞り弁（図示せず）が内設されており、蒸発器１２に設置された蒸発器空気温度センサ１２ｂの検出値によって絞り弁を制御装置４がコントロールして蒸発器１２に噴射する冷媒の流量（冷媒能力）を調節している。
【００２８】
蒸発器１２は、冷媒を気化することにより車室内の空気の熱を奪って冷却し、車室内の空気を冷却する熱交換器であり、空調ケース１４に内設されている。その蒸発器１２には、ファン１２ａが設置されており、このファン１２ａによって、冷却された空気を車室内に送り、直射日光や外気温度によって高温になった車室内の空気を吸引して循環が行われる。蒸発器１２内の冷媒は、バルブ類（図示せず）を介して圧力調整された気体冷媒を元のハイブリッド型コンプレッサ５に戻るように配管によって接続されている。
【００２９】
ファン１２ａは、蒸発器１２の出側等に設置されて、車室内の空気を吸引して蒸発器１２に当て、その蒸発器１２で冷却された空気を各種ダクト（図示せず）を介してデフロスタ吹出口（図示せず）やフェイス吹出口（図示せず）やフット吹出口（図示せず）から車室内に戻して車室内の空気を循環させるためのものである。ファン１２ａは、制御装置４のファン制御部４１ｃに電気的に接続されている。ファン１２ａは、このファン制御部４１ｃによって回転が制御されて、送風量がコントロールされている。
【００３０】
蒸発器空気温度センサ１２ｂは、蒸発器１２で冷媒を気化することによって冷却された空気の温度を検出する温度検出器であり、蒸発器１２内を流れる空気の出側の空調ケース１４内に設置されている。
【００３１】
温度設定部１６は、乗員が車室内の気温を設定するものであり、例えば、インストルメントパネルの中央部に設置された制御器（コントロールパネル）からなる。この温度設定部１６は、制御装置４に電気的に接続されている。
【００３２】
制御装置４は、電気・電子回路と所定のプログラムとからなるＥＣＵであり、空調制御部４１やエンジン２をコントロールするエンジン制御部４２や蓄電装置１７への充放電の切り替えを行う制御部やその他機器の制御部（図示せず）を備えている。
【００３３】
次に、図１および図２を参照して空調制御部４１を説明する。
図２は、図１の空調装置に使用する制御装置の構成を示すブロック図である。
図１に示すように、空調制御部４１は、エンジン駆動圧縮機６、モータ駆動圧縮機７、膨張弁１１およびファン１２ａの作動が制御されるように構成されている。その空調制御部４１は、モータ駆動制御部４１ａと、目標温度算出部４１ｂと、ファン制御部４１ｃと、膨張弁制御部４１ｄとから構成されている。
【００３４】
そして、空調制御部４１は、次のような機能を備えている。
まず、空調制御部４１は、蒸発器空気温度センサ１２ｂで検出した検出温度と、目標温度算出部４１ｂで算出した目標温度とを比較して、検出温度が目標温度より低いときに、モータ駆動圧縮機７を駆動するモータ３の出力を低減させる機能を備えている。
空調装置１は、エンジン２によって駆動されるエンジン駆動圧縮機６を停止する前に、モータ３によって駆動されるモータ駆動圧縮機７の出力を予め上昇させて、モータ駆動圧縮機７による冷房能力を高めておく機能を備えている。
空調装置１は、エンジン駆動圧縮機６を停止させる際に、モータ駆動圧縮機７の出力が所定値以上である場合、エンジン駆動圧縮機６を作動させてモータ駆動圧縮機７の出力を補助させる機能を備えている。
また、空調装置１は、エンジン駆動圧縮機６を停止させる際に、モータ駆動圧縮機７の出力が所定値以上である場合、エンジン駆動圧縮機６を所定時間後に停止させて、エンジン駆動圧縮機６を所定時間作動しモータ駆動圧縮機７の出力を補助させる機能を備えている。
さらに、空調装置１は、モータ駆動圧縮機７が作動中に、このモータ駆動圧縮機７の負荷が所定値以上になったときに、エンジン駆動圧縮機６を作動させて、このエンジン駆動圧縮機６がモータ駆動圧縮機７の出力を補助させる機能を備えている。
【００３５】
図２に示すように、空調制御部４１には、車速信号を出力する車速センサ２２と、アクセル開度検知信号を出力するアクセル開度検知センサ２３と、エンジン２の回転速度を検出してエンジン回転速度信号Ｎｅを出力するエンジン回転速度センサ（ＥＮＧＮｅセンサ２４）と、車室内の温度を検出して温度検出信号を出力する車室温度センサ２５と、車室外の温度を検出して外気温度検出信号を出力する外気温度センサ２６と、太陽の日射量を検出して日射量検出信号を出力する日射量センサ２７と、蒸発器１２で冷却された空気の温度を検出して蒸発器空気温度検出信号を出力する蒸発器空気温度センサ１２ｂと、目標温度の基準となる乗員によって設定された車室内の設定温度の目標温度設定信号を出力する温度設定部１６と、エンジン駆動圧縮機負荷信号を出力するエンジン駆動圧縮機６と、モータ駆動圧縮機負荷信号を出力するモータ駆動圧縮機７と、絞り弁開度信号を出力する膨張弁１１とが接続されている。
なお、エンジン駆動圧縮機負荷信号およびモータ駆動圧縮機負荷信号は、例えば、回転速度の指令値である。
【００３６】
図１に示すように、空調制御部４１は、冷凍サイクル装置Ａを作動させるにあたり、エンジン２のみが駆動している場合には、エンジン駆動圧縮機６を作動させる命令信号が出力されるように構成されている。このエンジン駆動圧縮機６の駆動命令信号によって電磁クラッチ８６が繋がれてエンジン駆動圧縮機６が、作動されるように構成されている。
また、空調制御部４１は、エンジン２が自動停止中（アイドリングストップ中）には、モータ駆動圧縮機７の駆動命令信号を出力して、モータ駆動圧縮機７が作動されるように構成されている。
【００３７】
空調制御部４１は、エンジン２がアイドリングストップする前に、エンジン２でエンジン駆動圧縮機６を駆動させるとともに、モータ駆動圧縮機７の駆動命令信号を出力することによって、モータ駆動圧縮機７が作動されるように構成されている。
そして、空調制御部４１は、モータ駆動圧縮機７を作動させる時期を、車速検出信号、アクセル回動検知信号およびエンジン回転速度信号Ｎｅによって演算して予測する機能を備えている。
また、空調制御部４１は、エンジン２がアイドリングストップした際に、モータ駆動圧縮機７の負荷状況によって、エンジン駆動圧縮機６の停止および駆動命令信号が出力されるように構成されている。このエンジン駆動圧縮機６の停止命令信号で電磁クラッチ８６が切断することによって、エンジン駆動圧縮機６は停止し、モータ駆動圧縮機７のみが作動されるように構成されている。
そして、エンジン２が自動再始動するにあたって、空調制御部４１は、モータ・ジェネレータＧによってエンジン２が駆動すると同時に、エンジン駆動圧縮機６の駆動命令信号を出力して、エンジン駆動圧縮機６が作動されるように構成されている。そして、自動停止再始動制御部によってモータ・ジェネレータＧによりエンジン２が駆動すると、空調制御部４１は、エンジン駆動圧縮機６とモータ駆動圧縮機７とが一緒に作動されるように構成されている。
【００３８】
モータ駆動制御部４１ａは、車室内の気温が目標温度算出部４１ｂで算出した目標温度になるように、モータ３を回転させて、モータ駆動圧縮機７をコントロールする制御器である。
【００３９】
目標温度算出部４１ｂは、予め設定した外気温度や日射量等の所定の外乱条件により、温度設定部１６で乗員が設定した設定温度に車室内の気温が等しくなるように蒸発器１２の出側の温度を算出するものである。この目標温度算出部４１ｂで算出される値は、外気温度や日射量等によって適切な値に変更される。
【００４０】
ファン制御部４１ｃは、ファン１２ａを作動させることによって蒸発器１２の冷気を車室内に循環させるとともに、蒸発器空気温度センサ１２ｂで温度を検出して、車室内の空気の温度が、目標温度算出部４１ｂで算出された温度になるようにファン１２ａの回転速度をコントロールする制御器である。なお、ファン１２ａは、手動的な操作によってＯＮ・ＯＦＦするようにしてもよい。
【００４１】
次に、図１および図２を参照してエンジン制御部４２を説明する。
図１に示すように、エンジン制御部４２は、エンジン２のアイドリングストップや自動再始動によるアイドリングストップの可否の判断を行う自動停止再始動制御部４２ａと、この自動停止再始動制御部４２ａからの信号に基づいてエンジン２への燃料の供給を停止してアイドリングストップを行うための燃料供給停止部４２ｂと、アイドリングストップ中のエンジン２を再始動させるための再始動駆動部４２ｃとから構成されている。
【００４２】
自動停止再始動制御部４２ａは、燃料供給停止部４２ｂと再始動駆動部４２ｃとにエンジン２への燃料の供給や供給の停止の信号を発信してアイドリングストップを行うとともに、バッテリ１８への充放電の切り替えを主に行うものである。
【００４３】
図２に示すように、自動停止再始動制御部４２ａは、車速センサ２２と、アクセル開度検知センサ２３と、バッテリ１８（図１参照）に残存する電力量を検出するとともに、その電力量に基づいてバッテリ残容量信号ＳＯＣ（ＳｔａｔｕｓＯｆ  Ｃｈａｒｇｅ）を出力するバッテリ残容量センサ２８とに電気的に接続されている。また、自動停止再始動制御部４２ａには、燃料供給停止部４２ｂと、再始動駆動部４２ｃとが電気的に接続されている。
【００４４】
この自動停止再始動制御部４２ａは、後記する所定の条件を満たしていることを前提に、アクセル開度検知センサ２３からのアクセルを閉じたアクセル開度検知信号を受けてから、予め設定されたタイマ時間経過後に、燃料供給停止部４２ｂに向けて停止許可フラグＦ１が出力されるように構成されている。そして、停止許可フラグＦ１を受けた燃料供給停止部２３は、エンジン２（図１参照）への燃料供給を停止して、エンジン２（図１参照）を停止させる。また、自動停止再始動制御手段４２ａは、エンジン２（図１参照）が停止した際に、空調制御部４１に向けてエンジン停止信号ＣＳが出力されるように構成されている。
【００４５】
前記した所定条件、すなわち、図１に示すエンジン２のアイドリングストップの条件は、例えば、「車両が予め設定された基準速度以下の低車速になったこと」、「ブレーキスイッチがＯＮになっていること」、「エンジン２の冷却水の温度が所定値以上であること」、「車両のシフトポジションがＲ（リバース）またはＬ（ロウ）以外の所定のポジションになっていること」および「バッテリ残容量信号ＳＯＣに基づいて自動停止再始動制御部４２ａが判断した結果、バッテリ１８の残存容量が所定値以上であること」からなる要素を少なくとも備えるとともに、これらの要素がすべて満たされていることを要する。
【００４６】
ここで、「ブレーキスイッチがＯＮ」とは、ブレーキが掛けられている状態をいう。また、「エンジン２の冷却水の温度が所定値以上」とは、水温が低いとエンジン２を再始動できないこともあるため、冷却水がエンジン２を再始動できる温度にあるかをいう。「Ｒ（リバース）またはＬ（ロウ）以外」とは、シフトポジションがそれ以外のＤ（ドライブ）レンジ等であることを意味する。「バッテリ残存容量所定値以上」とは、バッテリ残容量センサ２８で検出したバッテリ１８の残容量が所定値、例えばフル充電時の２５％以上であることを意味する。
【００４７】
ただし、次の条件が満たされる場合、自動停止再始動制御部４２ａは、停止許可フラグＦ１を出力せず、エンジン２は停止しない。この条件、すなわち、エンジン２のアイドリングストップの禁止条件は、例えば「モータ駆動圧縮機７用のモータ３が故障していること」、「バッテリ１８の残存容量が例えば前記所定値未満であること」、「エンジン２の冷却水の温度が所定値未満であること」等が挙げられ、エンジン２のアイドリングストップの禁止条件は、これらの要素のうち少なくとも一つが満たされればよい。なお、前記した「モータ３の故障」としては、例えば、モータ３に対する過負荷、過電流、過電圧、電圧低下、コンタクトの溶着等が挙げられる。
【００４８】
また、この自動停止再始動制御部４２ａは、アクセルが踏み込まれて作動するルーチンによってモータ・ジェネレータＧを駆動させると同時に、再始動駆動部４２ｃに向けて再始動許可フラグＦ２（図２参照）が出力されるように構成されている。そして、再始動許可フラグＦ２（図２参照）を受けた再始動駆動部４２ｃは、エンジン２に対する燃料供給および燃料点火を行い、エンジン２が再始動されるように構成されている。
【００４９】
このような構成でなる本発明の実施の形態に係る車両用空調装置は、車室内の温度が、制御装置４によって、エンジン駆動圧縮機６とモータ駆動圧縮機７とをコントロールすることにより、エンジン駆動圧縮機６とモータ駆動圧縮機７とが互いに負担を軽減し合って温度設定部１６で設定した所定温度に維持されるように調整される。
【００５０】
次に、図３〜図６を参照しながら、実施の形態における空調装置１の動作を説明する。
図３は、本発明の実施の形態に係る車両用空調装置を示す図で、エンジン駆動圧縮機を自動停止させるときの許可制御のフローチャートである。
まず、図３のフローチャートを主に、各図を参照してエンジン駆動圧縮機６を自動停止させるときの許可制御を説明する。
【００５１】
まず、図１に示すように、イグニッションスッチ１９を回動操作してエンジン２を始動する。すると、各機関や機器に設置した各センサがＯＮしてその情報の読み込みが自動的に行われる。次に、エアコンスイッチ１５をＯＮして空調装置１を作動する。エアコンスイッチ１５がＯＮすると、ハイブリッド型コンプレッサ５のエンジン駆動圧縮機６とモータ駆動圧縮機７との２つの圧縮機が作動する。ハイブリッド型コンプレッサ５は、冷媒を圧縮して加圧することにより、冷凍サイクル装置Ａが動き出し、冷凍サイクルの蒸発、圧縮、凝縮、膨張が行われる。エンジン２は、空調装置１が作動すると、エンジン駆動圧縮機６が駆動される分だけエンジン２の出力を使うことになるので、パワーダウンになる。しかしながら、ハイブリッド型コンプレッサ５をこのエンジン駆動圧縮機６とモータ駆動圧縮機７とで駆動することにより、エンジン駆動圧縮機６のパワーダウンを防止する。
【００５２】
そして、ステップＳ１では、燃料供給停止部４２ｂが、図２に示すように、空調制御部４１、車速センサ２２、アクセル開度検知センサ２３等からエンジン２（図１参照）の負荷低減のために、エンジン駆動圧縮機６を停止させる要求があるか常に監視する。
「エンジン駆動圧縮機ＯＦＦ要求」がないとき（Ｎｏ）は、ステップＳ２に進み、エンジン駆動圧縮機６を停止させるための許可をせず、運転を続行させる。
そして、「エンジン駆動圧縮機ＯＦＦ要求」があったとき（Ｙｅｓ）は、ステップＳ３に進む。
【００５３】
ステップＳ３では、現在のモータ駆動圧縮機７の目標回転速度（ＮＥＣ）と、エンジン駆動圧縮機６が停止したときの負荷を考慮したモータ駆動圧縮機７の目標回転速度（ＮＥＣＰＭＴ）とを比較して、目標回転速度（ＮＥＣ）が目標回転速度（ＮＥＣＰＭＴ）未満かを判断する。
そして、「ＮＥＣ＜ＮＥＣＰＭＴ」でないとき（Ｎｏ）は、つまり、現在のモータ駆動圧縮機７の目標回転速度（ＮＥＣ）が、エンジン駆動圧縮機６を停止したときのモータ駆動圧縮機７の目標回転速度（ＮＥＣＰＭＴ）以上のときは、ステップＳ２に進み、モータ駆動圧縮機７に負担がかかっていると判断して、エンジン駆動圧縮機６を停止させるための許可をしない。これにより、空調装置１の冷房能力は、エンジン駆動圧縮機６がモータ駆動圧縮機７を補助して低下することが防止される。
一方、「ＮＥＣ＜ＮＥＣＰＭＴ」であるとき（Ｙｅｓ）は、つまり、現在のモータ駆動圧縮機７の目標回転速度（ＮＥＣ）がエンジン駆動圧縮機６を停止したときのモータ駆動圧縮機７の目標回転速度（ＮＥＣＰＭＴ）未満のときは、ステップＳ４に進む。
【００５４】
ステップＳ４では、現在のモータ駆動圧縮機７の目標回転速度（ＮＥＣ）に所定の加算回転速度（ＡＤＮＥＣ）を加算した回転速度をエンジン駆動圧縮機６が停止したときのモータ駆動圧縮機７の目標回転速度（ＮＥＣＰＭＴ）とする。
【００５５】
次に、ステップＳ５に進み、そのモータ駆動圧縮機７の目標回転速度（ＮＥＣＰＭＴ）と所定値（ＮＭＡＸ）とを比較し、目標回転速度（ＮＥＣＰＭＴ）が、所定値（ＮＭＡＸ）以下であるかを判断する。
そして、「ＮＥＣＰＭＴ≦ＮＭＡＸ」でないとき（Ｎｏ）は、つまり、モータ駆動圧縮機７の目標回転速度（ＮＥＣＰＭＴ）が、所定値（ＮＭＡＸ）を超えるときは、ステップＳ２に進み、モータ駆動圧縮機７がフル回転して冷房しているとみなして、モータ駆動圧縮機７の負担をエンジン駆動圧縮機７で補助するために、エンジン駆動圧縮機６を停止させるための許可をしない。
一方、「ＮＥＣＰＭＴ≦ＮＭＡＸ」であるとき（Ｙｅｓ）は、モータ駆動圧縮機７の目標回転速度（ＮＥＣＰＭＴ）が、予め設定した所定値（ＮＭＡＸ）以下のときは、ステップＳ６に進み、タイマを所定時間（ＴＭＡＤＮＥＣ）にセットする。
なお、所定値（ＮＭＡＸ）は、特許請求の範囲の「第２圧縮機の所定値」に相当する。
【００５６】
次に、ステップＳ７に進み、タイマを所定時間（ＴＭＡＤＮＥＣ）作動させる。このタイマが作動している間、モータ駆動圧縮機７は、作動し続けている。
【００５７】
次に、ステップＳ８に進み、そのタイマ（図示せず）が０になって、所定時間（ＴＭＡＤＮＥＣ）経過したかを判断する。
そして、「ＴＭＡＤＮＥＣ＝０」にならないとき（Ｎｏ）、つまり、所定時間（ＴＭＡＤＮＥＣ）が経過しないときは、ステップＳ２に進み、エンジン駆動圧縮機６を停止させるための許可をせず、運転を続行させる。
一方、「ＴＭＡＤＮＥＣ＝０」になったとき（Ｙｅｓ）は、所定時間（ＴＭＡＤＮＥＣ）が経過したので、ステップＳ９に進む。
【００５８】
ステップＳ９では、エンジン駆動圧縮機６の停止を許可され、空調装置１はモータ駆動圧縮機７のみによって作動される。このため、駆動中のエンジン２は、エンジン駆動圧縮機６が停止することによって、エンジン駆動圧縮機６による負担が解除される。そして、前記タイマ（図示せず）によって、エンジン駆動圧縮機６を停止させる前に、エンジン駆動圧縮機６を所定時間（ＴＭＡＤＮＥＣ）作動させてモータ駆動圧縮機７の負担を軽減させることにより、エンジン駆動圧縮機６が停止した後の空調装置１の冷房能力を維持させることができる。
また、前記モータ駆動圧縮機７の目標回転速度（ＮＥＣＰＭＴ）が、所定値（ＮＭＡＸ）以上になったときは、モータ駆動圧縮機７の負荷が上昇したとみなし、エンジン駆動圧縮機６を停止させず、作動させることによってモータ駆動圧縮機７を補助する。これにより、車室内の温度が上昇することを防止することができる。
なお、前記タイマが０になる所定時間（ＴＭＡＤＮＥＣ）経過後は、特許請求の範囲の「所定時間後」に相当する。
【００５９】
さらに、図４のタイムチャートを主に、各図を参照してエンジン駆動圧縮機６を自動停止させるときの許可制御を説明する。
図４は、本発明の実施の形態に係る車両用空調装置を示す図で、（ａ）はエンジンの作動状況を示すタイムチャートであり、（ｂ）はエンジン駆動圧縮機の作動状況を示すタイムチャートであり、（ｃ）はタイマの作動状況を示すタイムチャートであり、（ｄ）はモータ駆動圧縮機の作動状況を示すタイムチャートである。
【００６０】
図４（ａ）に示すように、エンジン２は、アイドリングストップがなく、駆動し続けている。
図４（ｂ）に示すように、エンジン駆動圧縮機６は、作動中にエンジン２の負荷低減のために、エンジン駆動圧縮機６を停止させるためのＯＦＦ要求があるかが監視されている（図３のステップＳ１参照）。そして、エンジン駆動圧縮機６は、エンジン駆動圧縮機６のＯＦＦ要求があっても、図３のステップＳ９の停止許可があるまで作動し続けてから停止する。エンジン駆動圧縮機６は、停止中にＯＮ要求があるかが監視されている。そして、ＯＮ要求があると、エンジン駆動圧縮機６が再始動する。
【００６１】
図４（ｃ）に示すように、タイマは、普段ＯＦＦしている。タイマは、モータ駆動圧縮機７の目標回転速度（ＮＥＣＰＭＴ）が、予め設定した所定値（ＮＭＡＸ）以下になったときに、図３に示すステップＳ６の所定時間（ＴＭＡＤＮＥＣ）がセットされる。このタイマが作動している間は、ＯＦＦ要求の出ているエンジン駆動圧縮機６を作動し続けて、モータ駆動圧縮機７に冷房能力の余力が与えられる。そのタイマが０になって、所定時間（ＴＭＡＤＮＥＣ）が経過すると（図３のステップＳ８）、図３のステップＳ９のエンジン駆動圧縮機６の停止が許可され、空調装置１はモータ駆動圧縮機７のみによって作動される。
このように、空調装置１は、タイマによって、エンジン駆動圧縮機６を停止させる前に、エンジン駆動圧縮機６を所定時間（ＴＭＡＤＮＥＣ）作動させてモータ駆動圧縮機７の負担を軽減させて冷房能力を高めておくことにより、エンジン駆動圧縮機６が停止した後の冷房能力を維持させることができる。
【００６２】
図４（ｄ）に示すように、モータ駆動圧縮機７は、空調装置１が作動しているとき、常にＯＮしている。モータ駆動圧縮機７は、目標回転速度（ＮＥＣ）が監視され、図３のステップＳ３に示すように、その目標回転速度（ＮＥＣ）と、エンジン駆動圧縮機６が停止したときの負荷を考慮したモータ駆動圧縮機７の目標回転速度（ＮＥＣＰＭＴ）とが比較される。
そして、エンジン駆動圧縮機６の停止（ＯＦＦ）要求があると、図３のステップＳ５に示すように、モータ駆動圧縮機７の目標回転速度（ＮＥＣＰＭＴ）と所定値（ＮＭＡＸ）とが比較される。モータ駆動圧縮機７の目標回転速度（ＮＥＣＰＭＴ）が、予め設定した所定値（ＮＭＡＸ）以下のときは、タイマを所定時間（ＴＭＡＤＮＥＣ）にセットして、エンジン駆動圧縮機６の作動を続けさせる。
そのタイマが０になってＯＦＦすると、エンジン駆動圧縮機６が停止してモータ駆動圧縮機７のみで空調装置１が作動されるとともに、モータ駆動圧縮機７の目標回転速度（ＮＥＣＰＭＴ）と所定値（ＮＭＡＸ）とが比較される。
そして、モータ駆動圧縮機７の目標回転速度（ＮＥＣＰＭＴ）が、所定値（ＮＭＡＸ）以上になったときは、モータ駆動圧縮機７の負荷が上昇したとみなし、エンジン駆動圧縮機６のＯＮ要求をして作動させ、モータ駆動圧縮機７を補助させる。
このように、エンジン駆動圧縮機６を適宜にＯＮ・ＯＦＦすることにより、エンジン駆動圧縮機６の駆動源であるエンジン２の負担を低減して燃費の向上を図るとともに、モータ駆動圧縮機７のみで作動して低下した冷房能力を補助することができる。
【００６３】
次に、図５のフローチャートを主に、各図を参照してエンジン駆動圧縮機６を自動停止中にＯＮさせるときの要求制御を説明する。
図５は、本発明の実施の形態に係る車両用空調装置を示す図で、エンジン駆動圧縮機を自動停止させるときの許可制御のフローチャートである。
【００６４】
まず、ステップＳ１０では、図２に示すように、エンジン駆動圧縮機６が停止しているかを監視し、判断する。
そして、「エンジン駆動圧縮機ＯＦＦ中」でないとき（Ｎｏ）は、つまり、エンジン駆動圧縮機６が作動しているときは、ステップＳ１１に進んで、このエンジン駆動圧縮機６とモータ駆動圧縮機７をともに作動させる通常の制御を続ける。
一方、「エンジン駆動圧縮機ＯＦＦ中」のとき（Ｙｅｓ）は、つまり、エンジン駆動圧縮機６が停止しモータ駆動圧縮機７のみが作動しているときは、ステップＳ１２に進む。
【００６５】
ステップＳ１２では、現在のモータ駆動圧縮機７の目標回転速度（ＮＥＣ）と、予め設定した所定値（ＮＭＡＸ）とを比較して、目標回転速度（ＮＥＣ）が所定値（ＮＭＡＸ）を超えたかについて判断する。
そして、「ＮＥＣ＞ＮＭＡＸ」であるとき（Ｙｅｓ）は、つまり、現在のモータ駆動圧縮機７の目標回転速度（ＮＥＣ）が所定値（ＮＭＡＸ）を超えたときは、ステップＳ１３に進み、モータ駆動圧縮機７の負荷が高いとみなし、エンジン駆動圧縮機６をＯＮ要求して駆動させる。これにより、モータ駆動圧縮機７とエンジン駆動圧縮機６とが駆動されて、空調装置１の冷房能力を向上させて、車室内の温度が上昇することを防止することができる。
一方、「ＮＥＣ＞ＮＭＡＸ」でないとき（Ｎｏ）は、つまり、現在のモータ駆動圧縮機７の目標回転速度（ＮＥＣ）が所定値（ＮＭＡＸ）以下のときは、ステップＳ１４に進む。
【００６６】
ステップＳ１４では、車速センサ２２、アクセル開度検知センサ２３およびＥＮＧＮｅセンサ２４によって、エンジン２（図１参照）がアイドリングストップ中かを判断する。
「アイドリングストップ中」でないとき（Ｎｏ）は、つまり、エンジン２（図１参照）が作動しているときは、ステップＳ１１に進み、エンジン駆動圧縮機６とモータ駆動圧縮機７とがともに作動している現在の制御、またはエンジン駆動圧縮機６が停止し、モータ駆動圧縮機７が作動している現在の制御を継続する。
「アイドリングストップ中」のとき（Ｙｅｓ）は、つまり、エンジン２（図１参照）をアイドリングストップしたときは、モータ駆動圧縮機７を作動させることにより空調装置１の駆動を維持して、車室内を快適な温度に維持することができる。そして、エンジン２（図１参照）がアイドリングストップ中の場合は、ステップＳ１５に進む。
【００６７】
ステップＳ＋１５では、モータ駆動圧縮機７の目標回転速度（ＮＥＣＩＳ）と予め設定した所定値（ＮＭＡＸＩＳ）とを比較して、目標回転速度（ＮＥＣＩＳ）が所定値（ＮＭＡＸＩＳ）を超えたかを判断する。
そして、「ＮＥＣＩＳ＞ＮＭＡＸＩＳ」でないとき（Ｎｏ）は、つまり、モータ駆動圧縮機７の目標回転速度（ＮＥＣＩＳ）が所定値（ＮＭＡＸＩＳ）以下のときは、ステップＳ１１に進み、エンジン２は停止され、エンジン駆動圧縮機６は停止し、モータ駆動圧縮機７のみを作動させる現在のエンジン２の停止時の制御を継続する。
一方、「ＮＥＣＩＳ＞ＮＭＡＸＩＳ」であるとき（Ｙｅｓ）は、つまり、モータ駆動圧縮機７の目標回転速度（ＮＥＣＩＳ）が所定値（ＮＭＡＸＩＳ）を超えたときは、ステップＳ１６に進む。
なお、所定値（ＮＭＡＸＩＳ）は特許請求の範囲の「第２圧縮機の所定値」に相当し、目標回転速度（ＮＥＣＩＳ）は特許請求の範囲の「負荷」に相当する。
【００６８】
ステップＳ１６では、モータ駆動圧縮機７の負荷が高いとみなし、エンジン２の再始動要求をしてエンジン２を始動させるとともに、エンジン駆動圧縮機６のＯＮ要求をしてエンジン駆動圧縮機６を作動させる。これにより、車室内の気温が上昇することを防止して、快適な温度の状態を維持させることができる。
【００６９】
このように空調装置１は、アイドリングストップ中には、モータ駆動圧縮機７を作動させることにより車室内の温度を快適に維持するとともに、そのモータ駆動圧縮機７の負担が高くなったときには、エンジン駆動圧縮機６を作動させ、モータ駆動圧縮機７の負担を軽減させて空調装置１の冷房能力が低下することを防止し、車室内の気温を常に快適に維持することができる。
【００７０】
さらに、図６のタイムチャートを主に、各図を参照してエンジン駆動圧縮機６を自動停止中にＯＮさせるときの要求制御を説明する。
図６は、本発明の実施の形態に係る車両用空調装置を示す図で、（ａ）はエンジンがアイドリングストップするときの状況を示すタイムチャートであり、（ｂ）はエンジン駆動圧縮機を自動停止させるときの許可制御のタイムチャートであり、（ｃ）はモータ駆動圧縮機の作動状況を示すタイムチャートである。
【００７１】
図６（ａ）に示すように、エンジン２は、図５のステップＳ１４に示すようにアイドリング中かが監視されている。そして、エンジン２は、アイドリングストップ信号を受けて停止し、図５のステップＳ１６に示すように、ＯＮ要求が来るとエンジン駆動圧縮機６とともに再始動する。
【００７２】
図６（ｂ）に示すように、エンジン駆動圧縮機６は、空調装置１が作動しているときであってもモータ駆動圧縮機７の冷房能力に余力があるときと、アイドリングストップ中のときに停止している。エンジン駆動圧縮機６は、図５のステップＳ１０に示すように、ＯＦＦ中かが監視されている。エンジン駆動圧縮機６は、図５のステップＳ１３に示すようにＯＮ要求があると、始動する。そして、エンジン駆動圧縮機６は、エンジン２がアイドリングストップすると自動的に停止する。エンジン駆動圧縮機６は、図５のステップＳ１６のエンジン駆動圧縮機６のＯＮ要求により再度始動する。
【００７３】
図６（ｃ）に示すように、モータ駆動圧縮機７は、空調装置１が作動しているとき、常にＯＮしている。そして、モータ駆動圧縮機７は、図５のステップＳ１２に示すように、エンジン駆動圧縮機６が停止（ＯＦＦ）し、モータ駆動圧縮機７が作動しているとき、現在のモータ駆動圧縮機７の目標回転速度（ＮＥＣ）が、予め設定した所定値（ＮＭＡＸ）を超えるかが監視されている。そして、このモータ駆動圧縮機７の目標回転速度（ＮＥＣ）が所定値（ＮＭＡＸ）を超えたときは、エンジン駆動圧縮機６のＯＮ要求が出されて、エンジン駆動圧縮機６が駆動してモータ駆動圧縮機７を補助する。
そして、アイドリングストップになったときは、モータ駆動圧縮機７のみで空調装置１の駆動を維持する。アイドリングストップ中、モータ駆動圧縮機７は、図５のステップＳ１５に示すように、目標回転速度（ＮＥＣＩＳ）が予め設定した所定値（ＮＭＡＸＩＳ）を超えるかが監視されている。
モータ駆動圧縮機７の目標回転速度（ＮＥＣＩＳ）が所定値（ＮＭＡＸＩＳ）を超えたときは、図５のステップＳ１６に示すように、モータ駆動圧縮機７の負荷が高いとみなして、エンジン２およびエンジン駆動圧縮機６のＯＮ要求をして、エンジン２およびエンジン駆動圧縮機６が作動される。
このように空調装置１は、アイドリングストップ中には、モータ駆動圧縮機７を作動させることにより車室内の温度を快適に維持するとともに、そのモータ駆動圧縮機７の負担が高くなったときには、エンジン２およびエンジン駆動圧縮機６を作動させることで、モータ駆動圧縮機７の負担を軽減させて空調装置１の冷房能力の低下が防止されて、車室内の気温が常に快適に維持される。
【００７４】
なお、本発明は、前記実施の形態に限定されるものではなく、その技術思想の範囲内で種々の改造および変更が可能であり、本発明はこれら改造および変更された発明にも及ぶことは勿論である。
【００７５】
例えば、空調装置１は、アイドリングストップ機能を備えていない車両においても、エンジン（第１駆動源）２で駆動されるエンジン駆動圧縮機（第１圧縮機）６と、モータ（第２駆動源）３で駆動されるモータ駆動圧縮機（第２圧縮機）７とを備えたものであれば適用することが可能である。そのような車両における空調装置１は、エンジン駆動圧縮機（第１圧縮機）６を停止させる前にモータ駆動圧縮機（第２圧縮機）７を作動させて空調装置１の冷房能力を向上させるとともに、モータ駆動圧縮機（第２圧縮機）７の回転速度が上がってきたときにエンジン（第１駆動源）２を始動させて、その２つの圧縮機６，７を互いに適宜に作動させることにより、車室内の温度を快適に維持することができるとともに、燃費の向上と排気ガスのクリーン化を図ることができる。そして、空調装置１は、その２つの圧縮機６，７の負担を互いに軽減し合うようにさせて空調装置１の冷房能力が低下することを防止して、車室内の気温を快適に維持することができる。
【００７６】
【発明の効果】
以上説明したように、本発明の請求項１に記載の車両用空調装置によれば、車両用空調装置は、例えば、第１駆動源（エンジン）によって駆動される第１圧縮機（エンジン駆動圧縮機）を停止する前に、第２駆動源（モータ）によって駆動される第２圧縮機（モータ駆動圧縮機）の出力を予め上昇させることによって、車室内を冷却させるための冷房能力を高めておくことができる。このため、第１駆動源（エンジン）をアイドリングストップして第１圧縮機（エンジン駆動圧縮機）が停止された場合であっても、吐出される空調装置の冷気の温度を維持させて、車室内を快適な温度に保つことができる。
また、車両用空調装置は、例えば、アイドリングストップ機能を備えた車両において、第１圧縮機（エンジン駆動圧縮機）が停止する前に、第２圧縮機（モータ駆動圧縮機）の出力を予め上昇させることにより、アイドリングストップ中に第２圧縮機（モータ駆動圧縮機）のみによる作動で空調装置の冷房能力が低下して、車室内の気温が上昇することを防止できる。これにより、車室内が、快適な温度に維持される。
【００７７】
本発明の請求項２に記載の車両用空調装置によれば、車両用空調装置は、例えば、第１圧縮機（エンジン駆動圧縮機）を停止させる前に、第２圧縮機（モータ駆動圧縮機）の出力が所定値以上になる場合、第１圧縮機（エンジン駆動圧縮機）を作動させて第２圧縮機（モータ駆動圧縮機）の出力を補助し、２つの圧縮機で空調装置を作動させることができる。このため、第１圧縮機（エンジン駆動圧縮機）は、停止する前に、第２圧縮機（モータ駆動圧縮機）を補助して冷房能力の余力を与えてから停止するので、第１圧縮機（エンジン駆動圧縮機）が停止したときに第２圧縮機（モータ駆動圧縮機）の出力の低下によって、車室内の温度が上昇して暑くなることを防止できる。また、冷え過ぎも防止できる。これにより、車室内が、快適な温度に維持される。
【００７８】
本発明の請求項３に記載の車両用空調装置によれば、車両用空調装置は、第１圧縮機（エンジン駆動圧縮機）を停止させる際に、第２圧縮機（モータ駆動圧縮機）の出力が所定値以上である場合、第１圧縮機（エンジン駆動圧縮機）を所定時間作動させて所定時間後に停止させることにより、その間第２圧縮機（モータ駆動圧縮機）の出力を補助することができる。このため、第１圧縮機（エンジン駆動圧縮機）は、停止する前に、第２圧縮機（モータ駆動圧縮機）を所定時間補助して冷房能力の余力を与えてから停止するので、第２圧縮機（モータ駆動圧縮機）の出力の低下によって、車室内の温度が上昇して暑くなることを防止できる。これにより、車室内が、快適な温度に維持される。
【００７９】
本発明の請求項４に記載の車両用空調装置によれば、車両用空調装置は、モータ駆動圧縮機（第２圧縮機）が作動中に、この第２圧縮機（モータ駆動圧縮機）の負荷が所定値以上になったときに、第１圧縮機（エンジン駆動圧縮機）を作動させることにより、第１圧縮機（エンジン駆動圧縮機）が第２圧縮機（モータ駆動圧縮機）の出力を補助することができる。このため、車室内の温度が上昇することを防止して、車室内を快適な温度に維持することができる。
【図面の簡単な説明】
【図１】本発明の実施の形態に係る車両用空調装置を示す概略図である。
【図２】図１の空調装置に使用する制御装置の構成を示すブロック図である。
【図３】本発明の実施の形態に係る車両用空調装置を示す図で、エンジン駆動圧縮機を自動停止させるときの許可制御のフローチャートである。
【図４】本発明の実施の形態に係る車両用空調装置を示す図で、（ａ）はエンジンの作動状況を示すタイムチャートであり、（ｂ）はエンジン駆動圧縮機の作動状況を示すタイムチャートであり、（ｃ）はタイマの作動状況を示すタイムチャートであり、（ｄ）はモータ駆動圧縮機の作動状況を示すタイムチャートである。
【図５】本発明の実施の形態に係る車両用空調装置を示す図で、エンジン駆動圧縮機を自動停止させるときの許可制御のフローチャートである。
【図６】本発明の実施の形態に係る車両用空調装置を示す図で、（ａ）はエンジンがアイドリングストップするときの状況を示すタイムチャートであり、（ｂ）はエンジン駆動圧縮機を自動停止させるときの許可制御のタイムチャートであり、（ｃ）はモータ駆動圧縮機の作動状況を示すタイムチャートである。
【符号の説明】
１  空調装置
２  エンジン（第１駆動源）
３  モータ（第２駆動源）
４  制御装置
５  ハイブリッド型コンプレッサ
６  エンジン駆動圧縮機（第１圧縮機）
７  モータ駆動圧縮機（第２圧縮機）
【図１】
2004345467.tif 000003
【図２】
2004345467.tif 000004
【図３】
2004345467.tif 000005
【図４】
2004345467.tif 000006
【図５】
2004345467.tif 000007
【図６】
2004345467.tif 000008